(57)【要約】【課題】折板の頂接合縁部に簡単に位置決め固定することのできるガラス受材を使用して製作される天窓構造を提供することにある。【解決手段】折板屋根の天窓構造において、ガラス受材（４）が、ガラス受材の両端に固定された結露受け用Ｕ形支持材（５ａ、５ｂ）と、一方の結露受け用Ｕ形支持材（５ａ）に固定され、一方の折板（１）の頂接合縁部（３）に引っ掛けて止める幅広のフック（６）を有する取付板（７）と、他方の結露受け用Ｕ形支持材（５ｂ）と一体で、他方の折板の頂接合縁部に係合する逆Ｕ形部分（８）と、を含み、一方の結露受け用Ｕ形支持材に固定された取付板及び他方の結露受け用Ｕ形支持材の  逆Ｕ形部分に、Ｔ形ボルト（９）のためのボルト通し孔（１０）を設けてなる。【選択図】      図１
2004169507.tif 000002
【特許請求の範囲】
【請求項１】
折板で構成される屋根の所望箇所において折板の頂接合縁部に両端が位置決め固定されるガラス受材と、折板の頂接合縁部を上から覆うキャップと、該キャップ間にガスケットを介して取り付けられ、且つガラス受材で下から支持された採光ガラス板と、キャップを折板の頂部及びガラス受材の支持材と一緒に座金を介して緊締するＴ形ボルト・ナットと、よりなる天窓構造において、前記ガラス受材が、ガラス受材の両端に固定された結露受け用Ｕ形支持材と、一方の結露受け用Ｕ形支持材に固定され、一方の折板の頂接合縁部に引っ掛けて止められる幅広のフックを有する取付板と、他方の結露受け用Ｕ形支持材と一体で、他方の折板の頂接合縁部に係合する逆Ｕ形部分と、を含み、一方の結露受け用Ｕ形支持材に固定された取付板及び他方の結露受け用Ｕ形支持材の逆Ｕ形部分に、Ｔ形ボルトのためのボルト通し孔を設けてなる、折板屋根の天窓構造。
【発明の詳細な説明】
【０００１】
【発明の属する分野】
本発明は、折板屋根の天窓構造に関し、特に天窓の採光ガラス板の受材の取り付け構造に関する。
【０００２】
【従来の技術】
折板屋根は、工場や倉庫等の屋根に採用されており、代表的な例としては、横材上に架設され、頂接合縁部のはぜ継ぎにより接合されて山・谷形の屋根を構成する複数の折板と、屋根に形成される天窓と、からなっている。天窓は、折板で構成される屋根の所望箇所において折板の頂接合縁部を受け入れる逆Ｕ形部分をもった支持材を両端に有するガラス受材と、ガラス受材を折板の頂接合縁部に固定するために、支持材の逆Ｕ形部分の直立部にねじ込まれ、頂接合縁部に側方から係合するビスネジと、折板の頂接合縁部を上から覆うキャップと、該キャップ間にガスケットを介して取り付けられ、且つガラス受材で下から支持された採光ガラス板と、キャップを折板の頂部及びガラス受材の支持材と一緒に座金を介して緊締するＴ形ボルト・ナットと、よりなっている。かくして、ガラス受材に固定された支持材の逆Ｕ形部分を折板の頂接合縁部にビスネジによって固定することによってガラス受材は折板から支持され、Ｔ形ボルト・ナットにより、キャップを折板の頂部及びガラス受材の支持材と一緒に座金を介して緊締することによって、採光ガラスは結果的にガラス受材の支持材を介して折板の頂部から支持されることになる。このような構成の折板屋根の天窓構造は本出願人の特許第３，０４０，７３３号の特許公報に開示されている。
【０００３】
【発明が解決しようとする課題】
上記の天窓を構成するには、作業手順がある。先ず、ガラス受材を、その両端の支持材の逆Ｕ形部分の直立部にビスネジを側方からねじ込んで折板の頂接合縁部に係合させることによって折板の頂接合縁部に固定する。これによってガラス受材の折板に対する位置決めがなされ、次いで、Ｔ形ボルトを差し込んだキャップを上から折板及びガラス受材の支持材に載せ、Ｔ形ボルトを支持材の逆Ｕ形部分の水平部分に通して折板及びガラス受材の支持材の下から座金を当てＴ形ボルト・ナットにナットを嵌めてこれを締めることによってキャップが折板及びガラス受材に固定される。最後に、採光ガラス板をガスケットを介してキャップに固定する。このことから分かるように、最初の段階でのガラス受材の位置決め固定が、ビスネジをガラス受材の支持材の逆Ｕ形部分の垂直部にそれぞれねじ込んで折板の頂接合縁部に係合させることによって行われていた為に、作業性が大変悪い欠点があった。
【０００４】
本発明の目的は、作業性の向上の観点から、折板の頂接合縁部に簡単に位置決め固定することのできるガラス受材を使用して製作される天窓構造を提供することにある。
【０００５】
【課題を解決するための手段】
本発明によれば、折板で構成される屋根の所望箇所において折板の頂接合縁部に両端が位置決め固定されるガラス受材と、折板の頂接合縁部を上から覆うキャップと、該キャップ間にガスケットを介して取り付けられ、且つガラス受材で下から支持された採光ガラス板と、キャップを折板の頂部及びガラス受材の支持材と一緒に座金を介して緊締するＴ形ボルト・ナットと、よりなる天窓構造において、前記ガラス受材が、ガラス受材の両端に固定された結露受け用Ｕ形支持材と、一方の結露受け用Ｕ形支持材に固定され、一方の折板の頂接合縁部に引っ掛けて止められる幅広のフックを有する取付板と、他方の結露受け用Ｕ形支持材と一体で、他方の折板の頂接合縁部に係合する逆Ｕ形部分と、を含み、一方の結露受け用Ｕ形支持材に固定された取付板及び他方の結露受け用Ｕ形支持材の  逆Ｕ形部分に、Ｔ形ボルトのためのボルト通し孔を設けてなる、折板屋根の天窓構造を提供する。
【０００６】
【作用】
ガラス受材を、その一方の結露受け用Ｕ形支持材に固定された取付板の幅広のフックを一方の折板の頂接合縁部に引っ掛けて止め、他方の結露受け用Ｕ形支持材の  逆Ｕ形部分を他方の折板の頂接合縁部に係合させることによって折板間に位置決めする。次いで、Ｔ形ボルトを差し込んだキャップを上から折板及びガラス受材の結露受け用Ｕ形支持材に載せ、Ｔ形ボルトを一方の結露受け用Ｕ形支持材に固定された取付板及び下方の結露受け用Ｕ形支持材の  逆Ｕ形部分に明けられたボルト通し孔に通し、折板及びガラス受材の結露受け用Ｕ形支持材の下から座金を当てＴ形ボルトにナットを嵌めてこれを締めることによってキャップが折板及びガラス受材に固定される。最後に、採光ガラス板をガスケットを介してキャップに固定する。
【０００７】
【発明の実施形態】
図１を参照すると、屋根は、頂接合縁部（ハゼ）のハゼ継ぎにより接合されて山・谷形の屋根を構成する複数の金属製の折板１（図ではそのうちの２つだけを示す）と、屋根の所々に形成される天窓２と、からなっている。天窓２は、一対の隣接した折板１の頂接合縁部３間に構成される空間に所望の間隔で配置され、頂接合縁部３に取り付けられるガラス受材４を有する。ガラス受材４は、ガラス受材４の両端にスポット溶接により固定された結露受け用Ｕ形支持材５ａ、５ｂと、一方の結露受け用Ｕ形支持材５ａにスポット溶接により固定され、且つ一方の折板の頂接合縁部に引っ掛けられるようになった幅広のフック６を有する取付板７と、他方の結露受け用Ｕ形支持材５ｂと一体で、他方の折板の頂接合縁部に係合するようになった逆Ｕ形部分８と、を含む。一方の結露受け用Ｕ形支持材５ａに固定された取付板７及び他方の結露受け用Ｕ形支持材５ｂの逆Ｕ形部分８には、Ｔ形ボルト９のためのボルト通し孔１０ａ、１０ｂが明けられている。ガラス受材の折板の頂接合縁部に対する取り付けは、ガラス受材４の一方の結露受け用Ｕ形支持材５ａに固定された取付板７の幅広のフック６を一方の折板１の頂接合縁部３に引っ掛けて止め、他方の結露受け用Ｕ形支持材５ｂの  逆Ｕ形部分８を他方の折板１の頂接合縁部３に係合させることによって達成される。尚、ガラス受材を折板の予定された正確な位置に取り付けるために、通常折板の頂接合縁部に墨着けがなされ、これを覗けるようにフック及び  逆Ｕ形部分に覗き穴１７が設けられるのがよい。
【０００８】
天窓２は、この技術分野で良く知られているように、折板の頂接合縁部３を上から覆うキャップ１１を更に含み、該キャップ１１はその下端にＵ形折曲げ足部１１ａ、１１ｂを有する。後述するようにキャップ１１と協同するＴ形ボルト９が設けられ、該Ｔ形ボルト９はその両側にウイング９ａ、９ｂを有する。Ｔ形ボルト９は、そのウイング９ａ、９ｂがキャップ１１のＵ形折曲げ足部１１ａ、１１ｂに係合するようにキャップ１１に差し込まれる。
【０００９】
キャップ１１のＵ形折曲げ足部１１ａ、１１ｂを上から折板及びガラス受材４の結露受け用Ｕ形支持材５ａ、５ｂに載せ、Ｔ形ボルト９を一方の結露受け用Ｕ形支持材５ａに固定された取付板７及び他方の結露受け用Ｕ形支持材５ｂの  逆Ｕ形部分８に明けられたボルト通し孔１０ａ、１０ｂに通し、折板及びガラス受材の結露受け用Ｕ形支持材の下から座金１２を当てＴ形ボルト９にナット１３を嵌めてこれを締めることによってキャップ１１は折板及びガラス受材に固定される。もっと正確には、Ｔ形ボルト９のウイング９ａ、９ｂがキャップ１１のＵ形折曲げ足部１１ａ、１１ｂに作用し、座金１２と協同してキャップを折板及びガラス受材の結露受け用Ｕ形支持材に固定する。採光ガラス板１４がガラス受材４の上に載せられ、ガスケット１５を介してキャップ１１に固定される。かくして、採光ガラス板１４はガラス受材４で支持されるとともに、ガラス受材の支持材を介して折板から支持されることになる。尚１６は、ガスケット１５の下に位置し、ガラス受材４の結露受け用Ｕ形支持材５ａ、５ｂで下から支えられる結露受けであって、天窓の長さに渡って延びている。
【００１０】
【発明の効果】
本発明による天窓構造では、採光ガラス板を下から支えるガラス受材がビスによらないで折板に取り付けられるように構成されているので、作業効率が大変向上する。ガラス受材を折板に取り付けるため折板の頂接合縁部に引っ掛けて止めるフックが幅広に構成されているため、引っ掛けて止める領域が長く、そのため、ガラス受材が折板に対して振れることなく直角に安定的に維持される。
【図面の簡単な説明】
【図１】本発明による天窓構造の全体の断面図である。
【図２】本発明による天窓構造の種々の構成部品の斜視図である。
【符号の説明】
１    折板
２    天窓
３    頂接合縁部
４    ガラス受材
５ａ  結露受け用Ｕ形支持材
５ｂ  結露受け用Ｕ形支持材
６    フック
７    取付板
８    延長部
９    Ｔ形ボルト
９ａ  ウイング
９ｂ  ウイング
１０    ボルト通し孔
１１    キャップ
１１ａ  Ｕ形折曲げ足部
１１ｂ  Ｕ形折曲げ足部
１２    座金
１３    ナット
１４    採光ガラス板
１５    ガスケット
１６    結露受け
【図１】
2004169507.tif 000003
【図２】
2004169507.tif 000004